(57)【要約】      （修正有）【課題】固定して設置されている手すりを利用する際に、利用者が握り続けながら、安定して歩行する事ができる握り手を実現すること等。【解決手段】本発明に係る握り手は、固定して設置されている手すりに対して使用し、利用者が当該手すりを使って移動する際に握る握り手であって、当該手すりの手すり部における、当該握り手の位置を移動させるための移動手段が存在すること、を特徴とする、手すりに対して使用する、握り手である。【選択図】図１
2017082458.tif 000002
【特許請求の範囲】
【請求項１】
固定して設置されている手すりに対して使用し、利用者が当該手すりを使って移動する際に握る握り手であって、
当該手すりの手すり部における、当該握り手の位置を移動させるための移動手段が存在すること、
を特徴とする、手すりに対して使用する、握り手。
【請求項２】
前記握り手の移動手段がローラーであり、
当該ローラーが、前記手すりの手すり部と接する事により、
前記手すりの手すり部における当該握り手の位置を移動させることができること、
を特徴とする、請求項１記載の手すりに対して使用する、握り手。
【請求項３】
前記握り手のローラーが電動ローラーであり、
当該握り手の位置を移動させるための命令手段としてのスイッチが、当該握り手に存在し、
当該電動ローラーによる、前記手すりの手すり部における握り手の位置の移動状態を、当該スイッチにより切り替えることができること、
を特徴とする、請求項２記載の手すりに対して使用する、握り手。
【請求項４】
前記握り手のスイッチによる切り替えによって、
前記手すりの手すり部における握り手の位置を移動させず、停止させることができること、
を特徴とする、請求項３記載の手すりに対して使用する、握り手。
【請求項５】
前記握り手は、
前記固定して設置されている手すりを、挟んで使用する、挟み式の握り手であって、
当該手すりの手すり部に対して、挟むための挟み手段が存在すること、
を特徴とする、請求項４記載の手すりに対して使用する、握り手。
【請求項６】
前記握り手の、前記手すりの手すり部に対して、挟むための挟み手段について、
挟み状態を維持する手段を備えていること、
を特徴とする、請求項５記載の手すりに対して使用する、握り手。
【請求項７】
前記握り手の挟み手段は、
前記手すりの手すり部の中心線以上の位置で挟むこと、
を特徴とする請求項６記載の手すりに対して使用する、握り手。
【請求項８】
前記手すりの手すり部における握り手の位置の移動方向を、前記命令手段としてのスイッチにより切り替えることができること、
を特徴とする、請求項７記載の手すりに対して使用する、握り手。
【発明の詳細な説明】
【技術分野】
【０００１】
本発明は、握り手に関するものであり、特に、固定して設置されている手すりに対して使用し、利用者が当該手すりを使って移動する際に握る握り手に関するものである。
【背景技術】
【０００２】
従来から、建物の内部（廊下・階段）や、屋外の階段等に、固定して設置されている手すりが存在する。
【０００３】
しかし、足の不自由な方等は、固定して設置されている手すりを利用する際に、手すりの手すり部を握って、歩を進めた後、廊下・階段の先の場所の手すり部を握る際に、一旦、手すりの手すり部から手を放さないといけない。
【０００４】
そのため、一旦、手すりの手すり部から手を放した際に、バランスを崩してしまったりする事があり、安全な歩行のために手すりが存在するにも関わらず、危険が伴う事態が生じてしまう。
【０００５】
一方、手すりの手すり部を放さないように、両手を使用して歩く場合は、手すりに張り付くようにして歩かなければならない。
さらに、バッグ等を持って、両手が自由に使えない場合は、このような歩き方もできない。
なお、本出願人は、これらの従来技術に関する先行技術文献を、特に知らない。
【発明の概要】
【発明が解決しようとする課題】
【０００６】
上記のように、固定して設置されている手すりを利用する際に、手すりの手すり部を握って、歩を進めた後、廊下・階段の先の場所の手すり部を握る際に、一旦、手すりの手すり部から手を放さないといけないため、バランスを崩すことによる危険が伴う、という欠点があった。
【０００７】
本発明の目的は、上記問題点に鑑み、固定して設置されている手すりを利用する際に、利用者が握り続けながら、安定して歩行する事ができる握り手を実現することである。
【課題を解決するための手段】
【０００８】
１、
【０００９】
（１）
【００１０】
そこで、上記課題を解決するため、本発明に係る握り手は、
固定して設置されている手すりに対して使用し、利用者が当該手すりを使って移動する際に握る握り手であって、
当該手すりの手すり部における、当該握り手の位置を移動させるための移動手段が存在すること、
を特徴とする、手すりに対して使用する、握り手である。
【００１１】
（２）
【００１２】
「固定して設置されている手すり」とは、建物の内部（廊下・階段）や、屋外の階段等に設置され、建物や地面に固定されている手すりである。
「手すりの手すり部」とは、固定して設置されている手すりを利用する利用者が、通常、握る部分（通常、円柱形状の部分）をいう。
「握り手」とは、利用者が握る物品であり、「固定して設置されている手すり」とは別の物品である。
「握り手」を「手すりに対して使用する」ため、固定して設置されている手すりの手すり部を利用者が直接握る訳ではなく、当該「握り手」を握る。
「利用者が当該手すりを使って移動する際に握る握り手」であるため、固定して設置されている手すりの手すり部を利用者が直接握る訳ではなく、当該「握り手」を握る。
「握り手」に存在する「移動手段」によって、「手すりの手すり部」における「握り手」の位置を移動することができる。
「握り手」は、「手すりの手すり部」に対して、乗せて使用するタイプ、挟むタイプ、取り付けるタイプ、等が考えられる。
【００１３】
（３）
【００１４】
通常、固定して設置されている手すりを利用者が利用する際には、利用者は手すりの手すり部を握るが、前に進むにつれて手すりの手すり部を何回も握りなおさなければならない。そして、握りなおす際には、体のバランスが崩れ、転倒する危険などがある。
しかし、本発明により、固定して設置されている手すりの手すり部を利用者が直接握らずに、本発明に係る握り手を握れば、握り手の移動手段により、固定して設置されている手すりの手すり部における、握り手の位置を移動させることができる。
よって、利用者は、固定して設置されている手すりを利用者が利用する際に、固定して設置されている手すりの手すり部を直接握らずに、前に進むにつれて、手すりの手すり部を何回も握りなおさなければならないという事態を回避することができる。
また、本発明の握り手を持ち運べば（携帯すれば）、様々な場所の手すりに利用することができるため、既存の、固定して設置されている手すりについて、新たに改修工事等を行わなくてよい。
【００１５】
２、
【００１６】
（１）
【００１７】
上記課題を解決するため、他の発明に係る握り手は、
前記握り手の移動手段がローラーであり、
当該ローラーが、前記手すりの手すり部と接する事により、
前記手すりの手すり部における当該握り手の位置を移動させることができること、
を特徴とする、前記の手すりに対して使用する、握り手である。
【００１８】
（２）
【００１９】
「握り手の移動手段」の「ローラー」は、握り手の中央付近に配置されたローラー、手すりの手すり部を挟み込むように配置された２つのローラー、手すりの手すり部を３角形（例えば、二等辺三角形）の方向から挟み込むように配置された３つのローラー、手すりの手すり部を挟み込むように配置された前方の２つのローラーと後方の２つのローラー、握り手の前方と後方に配置されたローラー、等の握り手における各種の配置が考えられる。
「握り手の移動手段」の「ローラー」は、「車輪」のように、横幅が短いものでも構わない。
「握り手の移動手段」の「ローラー」が、握り手の中央付近に配置されたローラー、握り手の前方と後方に配置されたローラー、である場合には、ローラーが、手すりの手すり部と接する際の安定性の観点から、「手すりの手すり部と接する面のローラーの形状」が、ローラーの進行方向（前方・後方）から見て凹み形状になっている場合も考えられる。
例えば、「手すりの手すり部と接する面のローラーの形状」が、糸を巻くための筒状の道具である「ボビン」の形状のように、ローラーの進行方向（前方・後方）から見て凹み形状になっており、「手すりの手すり部（通常、円柱形状の部分）」の形状に沿い、「手すりの手すり部（通常、円柱形状の部分）」と接するローラーの面が多くなっているような形状が考えられる。
【００２０】
（３）
【００２１】
本発明により、固定して設置されている手すりの手すり部を利用者が直接握らず、本発明に係る握り手を握れば、握り手の移動手段であるローラーにより、手すりの手すり部における、当該握り手の位置を移動させることができる。
【００２２】
３、
【００２３】
（１）
【００２４】
上記課題を解決するため、他の発明に係る握り手は、
前記握り手のローラーが電動ローラーであり、
当該握り手の位置を移動させるための命令手段としてのスイッチが、当該握り手に存在し、
当該電動ローラーによる、前記手すりの手すり部における握り手の位置の移動状態を、当該スイッチにより切り替えることができること、
を特徴とする、前記の手すりに対して使用する、握り手である。
【００２５】
（２）
【００２６】
「命令手段としてのスイッチ」は、単純な、移動のＯＮ、ＯＦＦを切り替える２段階のスイッチはもちろん、移動するモード１（正方向に移動）、移動するモード２（逆方向に移動）、移動しないモード（停止モード）、のように３段階以上に切り替えるスイッチも含まれる。
「手すりの手すり部における握り手の位置の移動状態を、当該スイッチにより切り替える」とは、移動するモードと、移動しないモード（停止モード）に切り替える場合はもちろん、移動するモード１（正方向に移動）、移動するモード２（逆方向に移動）、移動しないモード（停止モード）、のように３段階以上に移動状態（モード）を切り替える場合も含まれる。
「命令手段としてのスイッチ」において、移動するモード３（通常速度で移動）、移動するモード４（通常より遅い速度で移動）、移動するモード５（通常より速い速度で移動）、のように、進行方向は同じでも、速度の切り替えをできる場合も考えられる。
「命令手段としてのスイッチが、当該握り手に存在」する「部位」としては、手すりに対して使用する「握り手」における、利用者が握る、握り部分に設けることが考えられる。
【００２７】
（３）
【００２８】
本発明により、固定して設置されている手すりの手すり部を利用者が直接握らず、本発明に係る握り手を握り、命令手段としてのスイッチにより、握り手の移動手段である電動ローラーで、手すりの手すり部における、当該握り手の位置を移動させることができる。
【００２９】
４、
【００３０】
（１）
【００３１】
上記課題を解決するため、他の発明に係る握り手は、
前記握り手のスイッチによる切り替えによって、
前記手すりの手すり部における握り手の位置を移動させず、停止させることができること、
を特徴とする、前記の手すりに対して使用する、握り手である。
【００３２】
（２）
【００３３】
本発明では、「握り手の命令手段としてのスイッチによる切り替え」により、「電動ローラー」を停止させることができ、移動するモード（正方向又は逆方向に移動）と、移動しないモード（停止モード）、のように、切り替えることができる。
これにより、利用者が握り手の位置を動かしたくない（停止させたい）場合に、機動的に対応することができる。
【００３４】
５、
【００３５】
（１）
【００３６】
上記課題を解決するため、他の発明に係る握り手は、
前記固定して設置されている手すりを、挟んで使用する、挟み式の握り手であって、
当該手すりの手すり部に対して、挟むための挟み手段が存在すること、
を特徴とする、前記の手すりに対して使用する、握り手である。
【００３７】
（２）
【００３８】
「挟み手段」の例としては、「挟み手段」の一方と他方の挟み部の距離を可動させることにより、「固定して設置されている手すりの手すり部」を挟み、安定度を増すようにして使用することができたり、「固定して設置されている手すりの手すり部」の挟み状態を解除することができたりすることが考えられる。
【００３９】
（３）
【００４０】
本発明では、「挟み手段」により、「固定して設置されている手すりの手すり部」を挟み、安定度を増すようにして使用したり、「固定して設置されている手すりの手すり部」の挟み状態を解除することができる。
【００４１】
６、
【００４２】
（１）
【００４３】
上記課題を解決するため、他の発明に係る握り手は、
前記握り手の、前記手すりの手すり部に対して、挟むための挟み手段について、
挟み状態を維持する手段を備えていること、
を特徴とする、前記の手すりに対して使用する、握り手である。
【００４４】
（２）
【００４５】
「挟み状態を維持する手段」の例としては、「挟み手段」の一方と他方の「挟み部」の距離を固定して、ある程度一定に保つための「ロック」が考えられる。
他の「挟み状態を維持する手段」の例としては、「万力」のように、通常状態では「挟み手段」の一方と他方の「挟み部」の距離が固定されており、当該距離を長くしたり短くしたりの調節ができる機構を採用したものが考えられる。
他の「挟み状態を維持する手段」の例としては、「挟み手段」の一方と他方の「挟み部」とを繋ぐ支点（支持点）部分に、「ハンドクリッパー」のように「バネ」を採用することが考えられる。この場合、利用者が「握り手」を使用しようと、「手すりの手すり部」に「握り手」の「挟み部」を押し付けると「バネ」が広がり、「バネ」が元の形状に戻ろうとする力と、利用者が「手すりの手すり部」に「握り手」の「挟み部」を押し付ける力とによって、お互いの力の拮抗により結果的に「挟み状態を維持する」ことが考えられる。
「挟み状態を維持」の程度は、「ロック」によって固定する方法や、「万力」のような機構、「バネ」が元の形状に戻ろうとする力によって結果的に「挟み状態を維持する」方法などまで、色々な程度が考えられる。
また、「挟み手段」の一方と他方の「挟み部」に、「ローラー」や「電動ローラー」を配置することが考えられる。
【００４６】
（３）
【００４７】
本発明では、「挟み手段」により、「固定して設置されている手すりの手すり部」を挟み、「挟み状態を維持する手段」によって、より安定度を増すようにして使用することができる。
【００４８】
７、
【００４９】
（１）
【００５０】
上記課題を解決するため、他の発明に係る握り手は、
前記握り手の挟み手段は、
前記手すりの手すり部の中心線以上の位置で挟むこと、
を特徴とする前記の手すりに対して使用する、握り手である。
【００５１】
（２）
【００５２】
「手すりの手すり部の中心線以上の位置」とは、一般的に「手すりの手すり部」は円柱形であるため、円の中心（点）を線で結んだものが「手すり部の中心線」となる。
円柱形以外の「手すりの手すり部」（例えば、平べったい形状）についても、「手すりの手すり部」の中心（点）を線で結んだものが「手すり部の中心線」となる。
【００５３】
（３）
【００５４】
本発明では、「手すりの手すり部の中心線以上の位置で挟む」ことにより、「挟み手段」の一方と他方の「挟み部」の距離が広くなり過ぎず、より安定度を増すようにして使用することができる。
【００５５】
８、
【００５６】
（１）
【００５７】
上記課題を解決するため、他の発明に係る握り手は、
前記手すりの手すり部における握り手の位置の移動方向を、前記命令手段としてのスイッチにより切り替えることができること、
を特徴とする、前記の手すりに対して使用する、握り手である。
【００５８】
（２）
【００５９】
「握り手の命令手段としてのスイッチ」により、「電動ローラー」の移動（回転）方向が切り替わり、移動するモード１（正方向に移動）、移動するモード２（逆方向に移動）、のように、モードの切り替えが可能となる。
【００６０】
（３）
【００６１】
本発明では、「握り手の命令手段としてのスイッチによる切り替え」により、「電動ローラー」を、移動するモード１（正方向に移動）、移動するモード２（逆方向に移動）、移動しないモード（停止モード）、のように、切り替えることができる。
これにより、「握り手」を持つ方向を選ばずに、「握り手」を利用する事ができたり、一旦、後ろに移動したい時などに活用できる。
【発明の効果】
【００６２】
通常、固定して設置されている手すりを利用者が利用する際には、利用者は手すりの手すり部を握るが、前に進むにつれて手すりの手すり部を何回も握りなおさなければならない。握りなおす際には、体のバランスが崩れ、転倒する危険などがある。
しかし、上記の発明により、固定して設置されている手すりの手すり部を利用者が直接握らずに、上記の発明に係る握り手を握れば、握り手の移動手段により、固定して設置されている手すりの手すり部における、当該握り手の位置を移動させることができる。
よって、利用者は、固定して設置されている手すりを利用者が利用する際に、固定して設置されている手すりの手すり部を直接握らずに、前に進むにつれて手すりの手すり部を何回も握りなおさなければならないという事態を回避することができる。
【図面の簡単な説明】
【００６３】
【図１】本発明に係る握り手の実施例１
【図２】本発明に係る握り手の実施例２
【図３】本発明に係る握り手の実施例３
【図４】本発明に係る握り手の実施例４
【図５】本発明に係る握り手の実施例５
【図６】本発明に係る握り手の実施例６
【発明を実施するための形態】
【００６４】
１、
【００６５】
図１乃至図３は、本発明に係る握り手の１つの実施例を図示したものである。
図１乃至図３に基づいて、以下説明する。
【００６６】
本発明に係る握り手は、
固定して設置されている手すりに対して使用し、利用者が当該手すりを使って移動する際に握る握り手であって、
当該手すりの手すり部における、当該握り手の位置を移動させるための移動手段が存在する。
「固定して設置されている手すり」とは、建物の内部（廊下・階段）や、屋外の階段等に設置され、建物や地面に固定されている手すりである。
「手すりの手すり部」とは、固定して設置されている手すりを利用する利用者が、通常、握る部分（通常、円柱形状の部分）をいう。
「握り手」とは、利用者が握る物品であり、「固定して設置されている手すり」とは別の物品である。
「握り手」を「手すりに対して使用する」ため、固定して設置されている手すりの手すり部を利用者が直接握る訳ではなく、当該「握り手」を握る。
「利用者が当該手すりを使って移動する際に握る握り手」であるため、固定して設置されている手すりの手すり部を利用者が直接握る訳ではなく、当該「握り手」を握る。
「握り手」に存在する「移動手段」によって、「手すりの手すり部」における「握り手」の位置を移動することができる。
「握り手」は、「手すりの手すり部」に対して、乗せて使用するタイプ、挟むタイプ、取り付けるタイプ、等が考えられる。
【００６７】
また、前記握り手の移動手段がローラーであり、
当該ローラーが、前記手すりの手すり部と接する事により、
前記手すりの手すり部における当該握り手の位置を移動させることができる。
「握り手の移動手段」の「ローラー」は、握り手の中央付近に配置されたローラー、手すりの手すり部を挟み込むように配置された２つのローラー、手すりの手すり部を３角形（例えば、二等辺三角形）の方向から挟み込むように配置された３つのローラー、手すりの手すり部を挟み込むように配置された前方の２つのローラーと後方の２つのローラー、握り手の前方と後方に配置されたローラー、等の握り手における各種の配置が考えられる。
「握り手の移動手段」の「ローラー」は、「車輪」のように、横幅が短いものでも構わない。
「握り手の移動手段」の「ローラー」が、握り手の中央付近に配置されたローラー、握り手の前方と後方に配置されたローラー、である場合には、ローラーが、手すりの手すり部と接する際の安定性の観点から、「手すりの手すり部と接する面のローラーの形状」が、ローラーの進行方向（前方・後方）から見て凹み形状になっている場合も考えられる。
例えば、「手すりの手すり部と接する面のローラーの形状」が、糸を巻くための筒状の道具である「ボビン」の形状のように、ローラーの進行方向（前方・後方）から見て凹み形状になっており、「手すりの手すり部（通常、円柱形状の部分）」の形状に沿い、「手すりの手すり部（通常、円柱形状の部分）」と接するローラーの面が多くなっているような形状が考えられる。
図１では、固定して設置されている手すり（廊下等における、特に傾きが無い手すり）に対する、本発明に係る握り手の使用例を図示している（図３と異なり、利用者の図は含まれていない）。
図３では、固定して設置されている手すり（階段における、傾きのある手すり）に対して、利用者が、握り手の移動手段のローラーを利用して、移動する場面（階段を上っている場面）を図示している。
図２では、固定して設置されている手すりの手すり部における、握り手の位置を移動させるための移動手段としてのローラーを図示している。
図２で認定できるように、「手すりの手すり部と接する面のローラーの形状」が、糸を巻くための筒状の道具である「ボビン」の形状のように、ローラーの進行方向（前方・後方）から見て凹み形状になっており、「手すりの手すり部（通常、円柱形状の部分）」の形状に沿うような形状となっている。
【００６８】
２、
【００６９】
図４乃至図６は、本発明に係る握り手の他の実施例を図示したものである。
図４乃至図６に基づいて、以下説明する。
図４乃至図６における、「円柱」の図は、固定して設置されている手すりの「手すり部」である。
【００７０】
本発明に係る握り手の他の実施例では、
前記握り手のローラーが電動ローラーであり、
当該握り手の位置を移動させるための命令手段としてのスイッチが、当該握り手に存在し、
当該電動ローラーによる、前記手すりの手すり部における握り手の位置の移動状態を、当該スイッチにより切り替えることができる。
「命令手段としてのスイッチ」は、単純な、移動のＯＮ、ＯＦＦを切り替える２段階のスイッチはもちろん、移動するモード１（正方向に移動）、移動するモード２（逆方向に移動）、移動しないモード（停止モード）、のように３段階以上に切り替えるスイッチも含まれる。
「手すりの手すり部における握り手の位置の移動状態を、当該スイッチにより切り替える」とは、移動するモードと、移動しないモード（停止モード）に切り替える場合はもちろん、移動するモード１（正方向に移動）、移動するモード２（逆方向に移動）、移動しないモード（停止モード）、のように３段階以上に移動状態（モード）を切り替える場合も含まれる。
「命令手段としてのスイッチ」において、移動するモード３（通常速度で移動）、移動するモード４（通常より遅い速度で移動）、移動するモード５（通常より速い速度で移動）、のように、進行方向は同じでも、速度の切り替えをできる場合も考えられる。
「命令手段としてのスイッチが、当該握り手に存在」する「部位」としては、手すりに対して使用する「握り手」における、利用者が握る、握り部分に設けることが考えられる。
図４では、本発明に係る握り手の、他の実施例を図示している。
図４では、握り手の位置を移動させるための命令手段としてのスイッチが、当該握り手の中央下部（握り手の使用時の下方向・下部）に存在し、握り手のローラーが電動ローラーである。
また、電動ローラーの動力源として電池が採用され、電動ローラーによる、手すりの手すり部における握り手の位置の移動状態を、当該スイッチにより切り替えることができる。
「握り手の移動手段」の電動ローラーは、手すりの手すり部を挟み込むように配置された前方の２つのローラーと後方の２つのローラー、の構成である。
図４の握り手をローラーの進行方向（前方又は後方）から見た図が図５であり、ローラーが動く機構が図示されており、図６と異なり、図５では下記の「挟み手段」を採用していない。
【００７１】
また、前記握り手のスイッチによる切り替えによって、
前記手すりの手すり部における握り手の位置を移動させず、停止させることができる。
【００７２】
さらに、前記固定して設置されている手すりを、挟んで使用する、挟み式の握り手であって、
当該手すりの手すり部に対して、挟むための挟み手段が存在する。
「挟み手段」の例としては、「挟み手段」の一方と他方の挟み部の距離を可動させることにより、「固定して設置されている手すりの手すり部」を挟み、安定度を増すようにして使用することができたり、「固定して設置されている手すりの手すり部」の挟み状態を解除することができたりすることが考えられる。
図６では、手すりの手すり部に対して、挟むための挟み手段が図示されている。
【００７３】
また、前記握り手の、前記手すりの手すり部に対して、挟むための挟み手段について、
挟み状態を維持する手段を備えている。
「挟み状態を維持する手段」の例としては、「挟み手段」の一方と他方の「挟み部」の距離を固定して、ある程度一定に保つための「ロック」が考えられる。
他の「挟み状態を維持する手段」の例としては、「万力」のように、通常状態では「挟み手段」の一方と他方の「挟み部」の距離が固定されており、当該距離を長くしたり短くしたりの調節ができる機構を採用したものが考えられる。
他の「挟み状態を維持する手段」の例としては、「挟み手段」の一方と他方の「挟み部」とを繋ぐ支点（支持点）部分に、「ハンドクリッパー」のように「バネ」を採用することが考えられる。この場合、利用者が「握り手」を使用しようと、「手すりの手すり部」に「握り手」の「挟み部」を押し付けると「バネ」が広がり、「バネ」が元の形状に戻ろうとする力と、利用者が「手すりの手すり部」に「握り手」の「挟み部」を押し付ける力とによって、お互いの力の拮抗により結果的に「挟み状態を維持する」ことが考えられる。
「挟み状態を維持」の程度は、「ロック」によって固定する方法や、「万力」のような機構、「バネ」が元の形状に戻ろうとする力によって結果的に「挟み状態を維持する」方法などまで、色々な程度が考えられる。
また、「挟み手段」の一方と他方の「挟み部」に、「ローラー」や「電動ローラー」を配置することが考えられる。
図６では、「挟み手段」の一方と他方の「挟み部」に、「ローラー」を配置しており、「挟み手段」の一方と他方の「挟み部」とを繋ぐ支点（支持点）部分に、「ハンドクリッパー」のように「バネ」を採用している。
利用者が「握り手」を使用しようと、「手すりの手すり部」に「握り手」の「挟み部」を押し付けると「バネ」が広がり、「バネ」が元の形状に戻ろうとする力と、利用者が「手すりの手すり部」に「握り手」の「挟み部」を押し付ける力とによって、お互いの力の拮抗により結果的に「挟み状態を維持する」ことになる。
図６の左が通常の「握り手」の状態で、図６の中央、図６の右と、「手すりの手すり部」に「握り手」の「挟み部」を押し付け、「バネ」が広がっていることが認定できる。
図６の中央の状態や、図６の右の状態で、「手すりの手すり部」に「握り手」の「挟み部」を押し付け続けることで、「バネ」が元の形状に戻ろうとする力と、利用者が「手すりの手すり部」に「握り手」の「挟み部」を押し付ける力とによって、お互いの力の拮抗により結果的に「挟み状態を維持する」ことになる。
【００７４】
そして、前記握り手の挟み手段は、
前記手すりの手すり部の中心線以上の位置で挟むことができる。
「手すりの手すり部の中心線以上の位置」とは、一般的に「手すりの手すり部」は円柱形であるため、円の中心（点）を線で結んだものが「手すり部の中心線」となる。
円柱形以外の「手すりの手すり部」（例えば、平べったい形状）についても、「手すりの手すり部」の中心（点）を線で結んだものが「手すり部の中心線」となる。
図６の中央、図６の右では、手すりの手すり部に対して、挟むための挟み手段で、手すりの手すり部の中心線以上の位置で挟むことが、図示されている。
【００７５】
また、前記手すりの手すり部における握り手の位置の移動方向を、前記命令手段としてのスイッチにより切り替えることができる。
「握り手の命令手段としてのスイッチ」により、「電動ローラー」の移動（回転）方向が切り替わり、移動するモード１（正方向に移動）、移動するモード２（逆方向に移動）、のように、モードの切り替えが可能となる。
【００７６】
３、
【００７７】
図１では、握り手の移動手段であるローラーが後退しないための「後退防止機構」を有している。
図１に示すように、握り手のローラーに繋がる歯車に、当該後退防止機構が働きかけ、握り手のローラーに繋がる歯車に引っかかって、後退しないようになっている。
これにより、後退防止機構によって後ろ方向には進まないため、握り手の移動手段の移動方向が利用者に分かると共に、階段の手すり等の傾きがある手すりにおける握り手の使用時に、利用者の意思とは異なり勝手に握り手の移動手段であるローラーが後退してしまうことによるバランスの崩れ等を防ぐ事ができる。
【００７８】
図４では、握り手のローラーが電動ローラーであり、握り手の位置を移動させるための命令手段としてのスイッチが、当該握り手の握り部分（利用者が握り、手が接する部分）の中央下部（握り手の使用時の下方向・下部）に存在している。
握り手の位置を移動させるための命令手段としてのスイッチが、当該握り手の使用時の下方向に設置されている場合は、利用者が握り手を握れば「スイッチを押す」事になり、利用者が握り手の握りを緩めれば「スイッチを押すのを止める（離す）」事になる。
例えば、「スイッチを押す」と、握り手の電動ローラーが回転し、「スイッチを押すのを止める（離す）」と、握り手の電動ローラーの回転が止まる設計になっている場合を考える。
この場合、利用者が握り手を握れば「スイッチを押す」事になり、握り手の移動手段である電動ローラーを動作させる（握り手の位置を進行させる）ことができ、利用者が握り手の握りを緩めれば「スイッチを押すのを止める（離す）」事になり、握り手の移動手段である電動ローラーが停止する。
そうすると、利用者が握り手を握れば、握り手の電動ローラーが回転して進み、利用者が握り手の握りを緩めれば、握り手の電動ローラーの回転が止まって握り手の移動を停止させる、という握り手が実現できる。
少なくとも、命令手段としてのスイッチが、握り手の握り部分（利用者が握り、手が接する部分）に存在していれば、利用者が握らなければ、「スイッチを押す」事にならないため、握り手の移動手段である電動ローラーが動作しない（握り手の位置が動かない）。
よって、命令手段としてのスイッチが、握り手の握り部分の中央下部（握り手の使用時の下方向・下部）に存在していなくても、握り手の握り部分に存在していれば、利用者が握り手を握れば、握り手の電動ローラーが回転して進み、利用者が握り手の握りを緩めれば、握り手の電動ローラーの回転が止まって握り手の移動を停止させる、という握り手が実現できる。
さらに、命令手段としてのスイッチが、握り手の握り部分の中央下部（握り手の使用時の下方向・下部）に存在していれば、利用者が握り手を強く握った（指の先まで握った）場合に、握り手の電動ローラーが回転して進む、という握り手が実現できる。
【００７９】
図６では、「握り手の移動手段」の「ローラー」として、握り手の中央付近に配置されたローラーと、手すりの手すり部を挟み込むように配置された２つのローラーとの、手すりの手すり部を３角形（二等辺三角形）の方向から挟み込むように配置された合計３つのローラーが図示されている。
具体的には、握り手の一方の方向（移動する正方向又は逆方向）に２つのローラー、握り手の他方方向に２つのローラー、握り手の中央付近に配置されたローラー、の計５つのローラーが、１つの握り手に配置されている。
これにより、握り手の中央付近に配置されたローラーが、手すりの手すり部に接地する程度に握り手を押し付ければ、握り手の一方及び他方の方向の２×２のローラーにより、適度に手すりの手すり部を挟み込むように使用することができる。
これは、安定度を増す効果に繋がる。
【産業上の利用可能性】
【００８０】
本発明に係る握り手を、生産、販売等することにより、産業の発達に寄与することができるため、産業上の利用可能性を有する。
【図１】
2017082458.tif 000003
【図２】
2017082458.tif 000004
【図３】
2017082458.tif 000005
【図４】
2017082458.tif 000006
【図５】
2017082458.tif 000007
【図６】
2017082458.tif 000008